(57)【要約】本発明は、権限付与認証方法、権限付与装置及び権限付与システムを提供し、当該権限付与認証方法は、生物肢体が第１機器の予め設定された範囲に入った後、第１機器が生物肢体により第２機器と通信接続を確立するステップと、第１機器が通信接続により、第２機器によって伝送された権限付与される情報を受信するステップであって、権限付与される情報は、デジタル認証情報を含むステップと、生物肢体が第１機器の予め設定された範囲に入った継続時間内に、第１機器が生物肢体の生物特徴情報を採取するステップと、第１機器がデジタル認証情報及び生物特徴情報を認証した認証結果を取得し、デジタル認証情報及び生物特徴情報を認証した認証結果が認証合格である場合に、第１機器が権限付与操作を実行するステップと、を含む。当該権限付与認証方法に基づいて、他人が腕時計等の電子機器でユーザになりすまして権限付与されることを避け、情報及び財産安全を確保することができる。【選択図】  図１
2019512786.tif 000002
【特許請求の範囲】
【請求項１】
生物肢体が第１機器の予め設定された範囲に入った後、前記第１機器が前記生物肢体により第２機器と通信接続を確立するステップと、
前記第１機器が前記通信接続により、前記第２機器によって伝送された権限付与される情報を受信するステップであって、前記権限付与される情報は、デジタル認証情報を含むステップと、
前記生物肢体が第１機器の予め設定された範囲に入った継続時間内に、前記第１機器が前記生物肢体の生物特徴情報を採取するステップと、
前記第１機器が前記デジタル認証情報及び前記生物特徴情報を認証した認証結果を取得し、前記デジタル認証情報及び前記生物特徴情報を認証した認証結果が認証合格である場合に、前記第１機器が権限付与操作を実行するステップと、
を含む、  
ことを特徴とする権限付与認証方法。
【請求項２】
前記生物特徴情報は、指紋情報及び／又は静脈情報を含み、
前記第１機器が前記生物肢体の生物特徴情報を採取するステップは、
前記生物肢体が前記第１機器と接触した場合に、第１機器が前記生物肢体の前記第１機器と接触する接触部位の前記生物特徴情報を採取するステップを含む、
ことを特徴とする請求項１に記載の権限付与認証方法。
【請求項３】
前記第１機器が前記デジタル認証情報及び前記生物特徴情報を認証した認証結果を取得するステップは、
前記第１機器が前記デジタル認証情報及び前記生物特徴情報を認証し、前記認証結果を取得するステップを含む、
ことを特徴とする請求項１又は２に記載の権限付与認証方法。
【請求項４】
前記第１機器が前記デジタル認証情報及び前記生物特徴情報を認証した認証結果を取得するステップは、
前記第１機器がバックグラウンドに前記生物特徴情報及び前記デジタル認証情報を送信するステップと、
前記第１機器が前記バックグラウンドによって送信された前記認証結果を受信するステップであって、前記認証結果は、前記バックグラウンドが前記デジタル認証情報及び前記生物特徴情報を認証して取得された認証結果であるステップと、
を含む、
ことを特徴とする請求項１又は２に記載の権限付与認証方法。
【請求項５】
前記権限付与される情報は、標識情報をさらに含み、
前記デジタル認証情報及び前記生物特徴情報を認証するステップは、
前記標識情報に基づいて前記デジタル認証情報及び前記生物特徴情報を認証するステップを含む、
ことを特徴とする請求項３又は４に記載の権限付与認証方法。
【請求項６】
前記標識情報に基づいて前記デジタル認証情報及び前記生物特徴情報を認証するステップは、前記標識情報に対応する認証因子及び生物特徴検証情報を取得して、前記認証因子で前記デジタル認証情報をデジタル認証し、前記生物特徴検証情報と前記生物特徴情報とのマッチング率を検出するステップを含み、前記認証結果が認証合格であることは、前記認証因子で前記デジタル認証情報をデジタル認証して合格であり、且つ前記生物特徴情報と前記生物特徴検証情報とのマッチング率が予め設定された値よりも大きい場合に、前記認証結果が認証合格であることを含む、ことを特徴とする請求項５に記載の権限付与認証方法。
【請求項７】
前記予め設定された値が特定の閾値よりも小さく、
前記特定の閾値は、二つの生物特徴情報が同一の生物特徴情報であるマッチング率を示す、
ことを特徴とする請求項６に記載の権限付与認証方法。
【請求項８】
生物肢体が権限付与認証装置の予め設定された範囲に入った後、前記生物肢体により前記身分認識装置と通信接続を確立するために用いられる接続ユニットと、
前記通信接続により、前記身分認識装置によって伝送された権限付与される情報を受信するために用いられる受信ユニットであって、前記権限付与される情報は、デジタル認証情報を含む受信ユニットと、
前記生物肢体が権限付与認証装置的予め設定された範囲に入った継続時間内に、前記生物肢体の生物特徴情報を採取するために用いられる採取ユニットと、
前記デジタル認証情報及び前記生物特徴情報を認証した認証結果を取得し、前記デジタル認証情報及び前記生物特徴情報を認証した認証結果が認証合格である場合に、権限付与操作を実行するために用いられる実行ユニットと、
を含む、
ことを特徴とする権限付与認証装置。
【請求項９】
前記生物特徴情報は、指紋情報及び／又は静脈情報を含み、
前記採取ユニットは、前記生物肢体が前記権限付与認証装置と接触した場合に、前記生物肢体の前記権限付与認証装置と接触した接触部位の前記生物特徴情報を採取するために用いられる、
ことを特徴とする請求項８に記載の権限付与認証装置。
【請求項１０】
前記実行ユニットは、具体的に、前記デジタル認証情報及び前記生物特徴情報を認証し、前記認証結果を取得するために用いられる、
ことを特徴とする請求項８又は９に記載の権限付与認証装置。
【請求項１１】
前記実行ユニットは、具体的に、バックグラウンドに前記生物特徴情報及び前記デジタル認証情報を送信し、前記バックグラウンドによって送信された前記認証結果を受信するために用いられ、前記認証結果は、前記バックグラウンドが前記デジタル認証情報及び前記生物特徴情報を認証して取得された認証結果である、ことを特徴とする請求項８又は９に記載の権限付与認証装置。
【請求項１２】
前記権限付与される情報は、標識情報をさらに含み、前記デジタル認証情報及び前記生物特徴情報を認証するステップは、前記標識情報に基づいて前記デジタル認証情報及び前記生物特徴情報を認証するステップを含む、ことを特徴とする請求項１０又は１１に記載の権限付与認証装置。
【請求項１３】
前記標識情報に基づいて前記デジタル認証情報及び前記生物特徴情報を認証するステップは、前記標識情報に対応する認証因子及び生物特徴検証情報を取得して、前記認証因子で前記デジタル認証情報をデジタル認証し、前記生物特徴検証情報と前記生物特徴情報とのマッチング率を検出するステップを含み、前記認証結果が認証合格であることは、前記認証因子で前記デジタル認証情報をデジタル認証して合格であり、且つ前記生物特徴情報と前記生物特徴検証情報とのマッチング率が予め設定された値よりも大きい場合に、前記認証結果が認証合格であることを含む、ことを特徴とする請求項１２に記載の権限付与認証装置。
【請求項１４】
前記予め設定された値が特定の閾値よりも小さく、前記特定の閾値は、二つの生物特徴情報が同一の生物特徴情報であるマッチング率を示す、ことを特徴とする請求項１３に記載の権限付与認証装置。
【請求項１５】
身分認識装置及び請求項８〜１４のいずれかに記載の権限付与認証装置を含み、前記身分認識装置は、前記通信接続により前記権限付与認証装置に前記権限付与される情報を送信するために用いられる、ことを特徴とする権限付与認証システム。
【請求項１６】
前記権限付与認証システムは、バックグラウンドをさらに含み、前記バックグラウンドは、前記権限付与認証装置によって送信された前記生物特徴情報及び前記デジタル認証情報を受信し、前記デジタル認証情報及び前記生物特徴情報を認証し、認証結果を取得して、前記認証結果を前記権限付与認証装置に送信するために用いられる、ことを特徴とする請求項１５に記載の権限付与認証システム。
【請求項１７】
プロセッサにより動作される場合に、請求項１乃至７のいずれかに記載の権限付与認証方法を実行する、ことを特徴とするコンピュータプログラム。
【発明の詳細な説明】
【技術分野】
【０００１】
［優先権情報］
本出願は、２０１６年３月７日に中国国家知識産権局に提出された特許出願番号が２０１６１０１２７２３５．６である特許出願、及び２０１６年３月７日に中国国家知識産権局に提出された特許出願番号が２０１６１０１２７３３４．４である特許出願の優先権及び権益を主張するものであり、当該中国特許出願の全内容は参照により本明細書に組み入れられる。
【０００２】
本発明は、電子技術分野に関し、特に権限付与認証方法、権限付与装置及び権限付与システムに関する。
【背景技術】
【０００３】
ユーザは、電子機器を用いて、ある特定の場所（例えば、オフィス領域、機密領域等）、ウェブサイトのログイン、個人物品（自動車、金庫等）、危険物等の権限付与を取得する場合に、電子機器がこれらの場所、個人物品または危険物に設けされた電子システムと通信接続を確立して、記憶された秘密鍵を電子システムに送信し、電子システムが秘密鍵を認証する。これにより分かるように、従来技術におけるこのような権限付与方式によれば、他人の電子機器を使用して権限付与を取得することができ、さらに不正な操作を実行し、ユーザの財産、情報等の損失を招く。
【発明の概要】
【０００４】
本発明の目的は、従来技術における少なくとも一つの技術的課題を解決することである。
【０００５】
本発明の主な目的は、権限付与認証方法を提供することである。
【０００６】
本発明のもう一つの目的は、権限付与認証装置を提供することである。
【０００７】
本発明のさらにもう一つの目的は、権限付与認証システムを提供することである。
【０００８】
上述の目的に到達するために、本発明の技術案は、具体的に以下のように実現される。
【０００９】
本発明の一つの側面は、権限付与認証方法を提供し、前記権限付与認証方法は、生物肢体が第１機器の予め設定された範囲に入った後、前記第１機器が前記生物肢体により第２機器と通信接続を確立するステップと、前記第１機器が前記通信接続により前記第２機器によって伝送された権限付与される情報を受信するステップであって、前記権限付与される情報は、デジタル認証情報を含むステップと、前記生物肢体が第１機器の予め設定された範囲に入った継続時間内に、前記第１機器が前記生物肢体の生物特徴情報を採取するステップと、前記第１機器が前記デジタル認証情報及び前記生物特徴情報を認証した認証結果を取得し、前記デジタル認証情報及び前記生物特徴情報を認証した認証結果が認証合格である場合に、前記第１機器が権限付与操作を実行するステップと、を含む。
【００１０】
また、前記生物特徴情報は、指紋情報及び／又は静脈情報を含む。前記第１機器が前記生物肢体の生物特徴情報を採取するステップは、前記生物肢体が前記第１機器と接触した場合に、第１機器が前記生物肢体の前記第１機器と接触する接触部位の前記生物特徴情報を採取するステップを含む。
【００１１】
また、前記第１機器が前記デジタル認証情報及び前記生物特徴情報を認証した認証結果を取得するステップは、前記第１機器が前記デジタル認証情報及び前記生物特徴情報を認証し、前記認証結果を取得するステップを含む。
【００１２】
また、前記第１機器が前記デジタル認証情報及び前記生物特徴情報への認証結果を取得するステップは、前記第１機器がバックグラウンドに前記生物特徴情報及び前記デジタル認証情報を送信するステップと、前記第１機器が前記バックグラウンドによって送信された前記認証結果を受信し、前記認証結果は、前記バックグラウンドが前記デジタル認証情報及び前記生物特徴情報を認証して取得された認証結果であるステップと、を含む。
【００１３】
また、前記権限付与される情報は、標識情報をさらに含む。前記デジタル認証情報及び前記生物特徴情報を認証するステップは、前記標識情報に基づいて前記デジタル認証情報及び前記生物特徴情報を認証するステップを含む。
【００１４】
また、前記標識情報に基づいて前記デジタル認証情報及び前記生物特徴情報を認証するステップは、前記標識情報に対応する認証因子及び生物特徴検証情報を取得して、前記認証因子で前記デジタル認証情報をデジタル認証し、前記生物特徴検証情報と前記生物特徴情報とのマッチング率を検出するステップを含み、前記認証結果が認証合格であることは、前記認証因子で前記デジタル認証情報をデジタル認証して合格であり、且つ前記生物特徴情報と前記生物特徴検証情報とのマッチング率が予め設定された値よりも大きい場合に、前記認証結果が認証合格であることを含む。
【００１５】
また、前記認証因子で前記デジタル認証情報をデジタル認証し、前記生物特徴検証情報と前記生物特徴情報とのマッチング率を検出するステップは、
前記認証因子で前記デジタル認証情報を認証し、前記デジタル認証情報への認証が合格である場合に、前記生物特徴情報と前記生物特徴検証情報とのマッチング率が予め設定された値よりも大きいか否かを判断するステップ、または
前記生物特徴情報と前記生物特徴検証情報とのマッチング率が予め設定された値よりも大きいか否かを判断し、前記生物特徴情報と前記生物特徴検証情報とのマッチング率が予め設定された値よりも大きいと判断する場合に、前記認証因子で前記デジタル認証情報を認証するステップを含む。
【００１６】
また、前記デジタル認証情報は、秘密鍵署名を用いて取得された電子署名情報を含み、前記認証因子は、前記電子署名情報を署名検証する公開鍵を含む。前記認証因子で前記デジタル認証情報を認証を行すステップは、前記公開鍵で前記電子署名情報を署名検証するステップを含む。及び／又は、前記デジタル認証情報は、対称鍵で算出して得られたＭＡＣ値を含み、前記認証因子は、前記ＭＡＣ値を算出する対称鍵を含む。前記認証因子で前記デジタル認証情報を認証を行ステップは、前記対称鍵でＭＡＣチェック値を算出し、前記ＭＡＣ値及びＭＡＣチェック値を検証するステップを含む。及び／又は、前記デジタル認証情報は、シード鍵で生成された動的パスワードを含み、前記認証因子は、前記動的パスワードを検証する前記シード鍵を含む。前記認証因子で前記デジタル認証情報を認証を行ステップは、前記シード鍵で前記動的パスワードを検証するステップを含む。
【００１７】
本発明のもう一つの側面は、権限付与認証装置を更に提供し、前記権限付与認証装置は、生物肢体が権限付与認証装置の予め設定された範囲に入った後、前記生物肢体により前記身分認識装置と通信接続を確立するために用いられる接続ユニットと、前記通信接続により前記身分認識装置により伝送された権限付与される情報を受信するために用いられる受信ユニットであって、前記権限付与される情報は、デジタル認証情報を含む受信ユニットと、前記生物肢体が権限付与認証装置的予め設定された範囲に入った継続時間内に、前記生物肢体の生物特徴情報を採取するために用いられる採取ユニットと、前記デジタル認証情報及び前記生物特徴情報を認証した認証結果を取得し、前記デジタル認証情報及び前記生物特徴情報を認証した認証結果が認証合格である場合に、権限付与操作を実行するために用いられる実行ユニットと、を含む。
【００１８】
また、前記生物特徴情報は、指紋情報及び／又は静脈情報を含む。前記採取ユニットは、前記生物肢体が前記権限付与認証装置と接触した場合に、前記生物肢体の前記権限付与認証装置と接触した接触部位の前記生物特徴情報を採取するために用いられる。
【００１９】
また、前記実行ユニットは、具体的に、前記デジタル認証情報及び前記生物特徴情報を認証し、前記認証結果を取得するために用いられる。
【００２０】
また、  前記実行ユニットは、具体的に、バックグラウンドに前記生物特徴情報及び前記デジタル認証情報を送信し、前記バックグラウンドによって送信された前記認証結果を受信するために用いられ、前記認証結果は、前記バックグラウンドが前記デジタル認証情報及び前記生物特徴情報を認証して取得された認証結果である。
【００２１】
また、前記権限付与される情報は、標識情報をさらに含む。前記デジタル認証情報及び前記生物特徴情報を認証するステップは、前記標識情報に基づいて前記デジタル認証情報及び前記生物特徴情報を認証するステップを含む。
【００２２】
また、前記標識情報に基づいて前記デジタル認証情報及び前記生物特徴情報を認証するステップは、前記標識情報に対応する認証因子及び生物特徴検証情報を取得して、前記認証因子で前記デジタル認証情報ををデジタル認証し、前記生物特徴検証情報と前記生物特徴情報とのマッチング率を検出するステップを含み、前記認証結果が認証合格であることは、前記認証因子で前記デジタル認証情報をデジタル認証して合格であり、且つ前記生物特徴情報と前記生物特徴検証情報とのマッチング率が予め設定された値よりも大きい場合に、前記認証結果が認証合格であることを含む。
【００２３】
また、前記認証因子で前記デジタル認証情報をデジタル認証し、前記生物特徴検証情報と前記生物特徴情報とのマッチング率を検出するステップは、前記認証因子で前記デジタル認証情報を認証し、前記デジタル認証情報への認証が合格である場合に、前記生物特徴情報と前記生物特徴検証情報とのマッチング率が予め設定された値よりも大きいか否かを判断するステップ、または、前記生物特徴情報と前記生物特徴検証情報とのマッチング率が予め設定された値よりも大きいか否かを判断し、前記生物特徴情報と前記生物特徴検証情報とのマッチング率が予め設定された値よりも大きいと判断する場合に、前記認証因子で前記デジタル認証情報を認証するステップを含む。
【００２４】
また、前記デジタル認証情報は、秘密鍵署名を用いて取得された電子署名情報を含み、前記認証因子は、前記電子署名情報を署名検証する公開鍵を含む。前記認証因子で前記デジタル認証情報を認証を行ステップは、前記公開鍵で前記電子署名情報を署名検証するステップを含む。及び／又は、前記デジタル認証情報は、対称鍵で算出して得られたＭＡＣ値を含み、前記認証因子は、前記ＭＡＣ値を算出する対称鍵を含む。前記認証因子で前記デジタル認証情報を認証するステップは、前記対称鍵でＭＡＣチェック値を算出し、前記ＭＡＣ値及びＭＡＣチェック値を検証するステップを含む。及び／又は、前記デジタル認証情報は、シード鍵で生成された動的パスワードを含み、前記認証因子は、前記動的パスワードを検証する前記シード鍵を含む。前記認証因子で前記デジタル認証情報を認証するステップは、前記シード鍵で前記動的パスワードを検証するステップを含む。
【００２５】
本発明のさらに一つの側面は、権限付与認証システムを更に提供し、前記権限付与認証システムは、身分認識装置及び請求項９−１６に記載の権限付与認証装置を含む。前記身分認識装置は、前記通信接続により前記権限付与認証装置に前記権限付与される情報を送信するために用いられる。
【００２６】
また、前記システムは、前記権限付与認証装置により送信された前記生物特徴情報及び前記デジタル認証情報を受信し、前記デジタル認証情報及び前記生物特徴情報を認証し、認証結果を取得して、前記認証結果を前記権限付与認証装置に送信するために用いられるバックグラウンドを更に含む。
【００２７】
上述の本発明により提供されている技術案により分かるように、本発明は、権限付与認証方法、権限付与装置及び権限付与システムを提供し、当該権限付与認証方法に基づいて腕時計等の電子機器のデジタル認証情報及び人体の生物特徴情報を検証し、検証されたデジタル認証情報及び生物特徴情報の関連性及び統一性を確保することができ、本発明の権限付与認証方法において、デジタル認証情報への検証及び人体生物特徴情報への検証は、一回の連続操作で完了し、二回に分けて行うと、検証が失敗になり、これにより、他人が腕時計等の電子機器でユーザになりすまして権限付与されることを避け、情報及び財産安全を確保することができる。また、本発明は、人体生体を伝送媒体とし、不正者が他人の電子機器及び生物特徴情報に基づいて権限付与されることを効果的に防止することができる。また、本発明の権限付与認証方法に基づいて、ユーザの使用に必要な種々のデジタル認証秘密鍵情報をすべて腕時計等の携帯電子機器に記憶することができ、電子機器は、デジタル認証情報を認証端に自動的に送信し、ユーザが生物特徴情報を採取するのみで、権限付与の操作を完了することができ、便利で、速くて、安全である。
【００２８】
以下、図面を参照して本発明の具体的な実施例を具体的に説明することから、当業者には、本発明の上述の目的およびその他の目的、利点および特徴がさらに明らかとなろう。
【図面の簡単な説明】
【００２９】
以下、図面を参照しながら本発明のいくつかの具体的な実施例について詳細に説明するが、これらの実施例は限定的な意味ではなく、例示的である。図面において、同一又は類似の部分には同一又は類似の符号を付す。当業者は、これらの図面に、寸法の比率等は現実のものとは異なることに理解すべきである。
【図１】本発明の実施例１により提供されている権限付与認証方法のフローチャートである。
【図２】本発明の実施例１により提供されている権限付与認証装置の構造模式図である。
【図３】本発明の実施例１により提供されている権限付与認証システムの構造模式図である。
【発明を実施するための形態】
【００３０】
本発明において、生物肢体により通信し、即ち、生物肢体により通信両方の機器をボディエリアネットワーク範囲に収まる。いわゆるボディエリアネットワーク（Ｂｏｄｙ  Ａｒｅａ  Ｎｅｔｗｏｒｋ、ＢＡＮと略称する）では、人体を中心とし、人体に係るネットワーク元素（個人端末や、人体、衣類、人体周り特定の距離範囲、たとえば３〜５メートルに、人体内部まで分布されているセンサー、ネットワーキング機器を含む）等からなる通信ネットワークであるため、人体に係るネットワーク元素だけは、通信機器のこの予め設定された範囲に入らないと、ボディエリアネットワークの人体通信接続を確立することができない。
【００３１】
実施例１
本発明は、権限付与認証方法を提供し、図１に示すように、前記権限付与認証方法は、ステップＳ１０１〜ステップＳ１０４を含む。
【００３２】
ステップＳ１０１において、生物肢体が第１機器の予め設定された範囲に入った後、第１機器が生物肢体により第２機器と通信接続を確立する。
【００３３】
具体的な実施形態において、第１機器は、生物特徴の採取機能を有し、且つ生物肢体により第２機器と通信することができる。第１機器は、場所（オフィス領域、機密領域）、ウェブサイトのログイン、個人物品（自動車、金庫等）、危険物等への進入又は使用権限を管理するために用いられることができ、第１機器は、取引の実行ために用いられることもでき、例えば、入退室カードリーダ、スマート自動車キー、金庫キー、危険物マネージャ、生体認証機能を持つコンピュータ、ＡＴＭ及びＰＯＳ等であってもよい。
【００３４】
第２機器が生体（人体、動物体等を含む）外部（装着在生体または携帯在生体周辺）に放置され、又は生体体内に植え込み、例えば、第２機器は、ウェアラブルデバイス（スマート腕時計、スマートメガネ等）、スマートフォン、及び生体内に植え込んだセンサー等であってもよい。第２機器が生物肢体と通信可能な信範囲にある（例えば手首、ネックに装着される）場合に、第２機器は、生体と人体通信チャネルを確立し、生物肢体は、第２機器の拡張アンテナに相当することができ、検出方が生物肢体を検出する場合、即ち当該第２機器を検出することに相当する。
【００３５】
第１機器が人体チャネルで通信する場合に、それは予め設定された通信範囲を有し、第２機器を持つ生物肢体がその通信範囲に入る場合に、第１機器は、生物肢体を検出することができ、第２機器は、当該生物肢体が拡張するアンテナにより、第１機器を検出することもできる。無論、上述第１機器及び第２機器では、その他の有線または無線通信方式が可能である。
【００３６】
具体的な実施形態において、第１機器と第２機器とは、生物肢体でボディエリアネットワーク（Ｂｏｄｙ  Ａｒｅａ  Ｎｅｔｗｏｒｋ、ＢＡＮ）を確立し、生物肢体で生体通信チャネルを確立することで、生物肢体により第１機器と第２機器との間のデーターを伝送することを実現し、生体による通信を実現する。第１機器が生物肢体により第２機器と通信接続を確立するのは、有線方式及び無線方式、具体的に少なくとも以下の二つの方式の一つにより実現することができる。
【００３７】
有線方式において、第１機器と第２機器とのいずれにも電極が設けされ、第１機器は、人体内に植え込んだり、または人体に装着される第２機器の生物肢体に接触された（例えば、腕時計が装着されるユーザは指でＰＯＳ接触される）場合に、人体を導体とし、両方の電極が連通して人体内の通路になり、当該人体内の通路は、単純な線路方式であってもよく、電流カップリング方式であってもよく、これにより有線方式の通信を実現する。この場合に、第１機器は、第２機器が装着される生物肢体に接触されることが必要であり、レベル変化または導波路により信号を伝送することにより、通信を完了する。
【００３８】
無線方式において、無線方式では、第１機器と第２機器とのいずれも、周りの電界において変化されているか否かを検出し、通信相手が人体の通信許容範囲に入ると、電界強度の変化を検出し、相手と通信接続を確立することができる。
【００３９】
また、通信の開始形態において、第１機器によって第２機器をリアルタイムに検出し、第２機器を検出した後、通信を主動的に開始することができ；第２機器によって第１機器を主動的に検出することにより、通信を主動的に開始する。
【００４０】
上述の形態は、人体を電気信号の伝送媒体として利用し、人体表面、人体内部及び人体周り（３〜５メートル）の機器の情報インタラクションを実現する。従来のブルートゥース（登録商標）、ＷＩＦＩ、RF及び赤外線等の無線通信技術に比べて、人体通信過程において、信号は、人体を経て伝送され、このため、電磁ノイズによる影響が非常に小さく、低消費電力、高機密性及び更なる低人体ダメージ等の長所がある。また、複数人通信での効率が低減する問題がなく、線通信方式における冗長のリンクに悩まされることを回避することができる。
【００４１】
ステップＳ１０２において、第１機器は、通信接続により第２機器によって伝送された権限付与される情報を受信し、権限付与される情報は、デジタル認証情報を含む。
【００４２】
具体的な実施形態において、第２機器は、それ自体が伝送される権限付与される情報を生成して第１機器に送信してもよく、第２機器によって、権限付与される情報の生成装置により送信された権限付与される情報を受信して第１機器に送信してもよい。当該権限付与される情報には、デジタル認証するための情報を含み、例えば、当該デジタル認証情報は、秘密鍵署名を用いて取得された電子署名情報であってもよく（当該電子署名情報が権限付与される情報の生成装置に生成される場合に、当該権限付与される情報の生成装置は、電子署名機器、ＵＳＢｋｅｙ等の装置であってもよく）；当該デジタル認証情報は、対称鍵で算出して得られたＭＡＣ値であってもよく（当該ＭＡＣ値が権限付与される情報の生成装置により生成される場合に、当該権限付与される情報の生成装置は、暗号機等の装置であってもよい）；当該デジタル認証情報は、シード鍵により生成された動的パスワードであってもよい（当該動的パスワードが権限付与される情報の生成装置により生成される場合に、当該権限付与される情報の生成装置は、ＯＴＰ等の装置であってもよい）。
【００４３】
当該権限付与される情報は、第２機器を情報（例えば製品シリアル番号等）、所有者の身分情報、ユーザアカウント等の情報をさらに含んでも良い。
【００４４】
無論、第２機器は、放送方式で当該権限付与される情報を送信してもよく、第１機器の権限付与請求情報を受信した後、第２機器に権限付与される情報を送信してもよい。
【００４５】
ステップＳ１０３において、生物肢体が第１機器の予め設定された範囲に入った継続時間内に、第１機器は、生物肢体の生物特徴情報を採取する。具体的な実施形態において、生物特徴情報は、指紋情報、虹膜情報、顔情報及び静脈情報等の情報を採取する。当該第１機器には、生物特徴情報を採取するためのモジュール、例えば、指紋採取モジュールが設けされ、人体の指が第１機器の予め設定された通信範囲に入って、第１機器の指紋採取モジュールに接触された場合に、当該指の指紋を採取するために用いられ、又は、静脈採取モジュールが設けされ、人体の手腕が第１機器的予め設定された通信範囲に入って静脈採取モジュールに接触された場合に、当該手腕における静脈情報を採取するために用いられ、また、例えば、虹膜採取モジュールが設けされ、人の目が第１機器の予め設定された通信範囲に入って虹膜採取領域にある場合に、当該人の目の虹膜情報を採取するために用いられ、さらに、例えば顔認識モジュールが設けされ、顔が第１機器の予め設定された通信範囲に入って顔採取領域にある場合に、当該顔の顔情報を採取するために用いられる。
【００４６】
本発明の一つの実施形態において、生物特徴情報が指紋情報及び／又は静脈情報である場合に、第１機器が生物肢体の生物特徴情報を採取するステップは、生物肢体が第１機器に接触した場合に、第１機器採取生物肢体と第１機器との接触部位の生物特徴情報を採取する。
【００４７】
具体的に、生物特徴情報が指紋情報又は静脈情報である場合に、第１機器はがユーザの生物肢体に接触することで、相応する生物特徴情報を採取することができ、ユーザは、第１機器を主動的に接触して指紋または静脈情報を採取し、混雑している場合に、他のユーザが意図しなく通過する場合による誤通信を回避し、通信の唯一性及び安全性を確保するとともに、ユーザの実意図及び実身分を表現する。
【００４８】
第１機器が生物肢体の生物特徴情報を採取する動作は、第１機器と第２機器とが通信を確立している連続過程に完了してもよく、第１機器と第２機器とが通信を確立する前に完了してもよい。生物肢体の生物特徴情報の採取と通信の権限付与とは、一回の連続操作で完了することを確保すればよく、これにより送信された権限付与される情報と生物特徴情報との一致性を確保する。
【００４９】
なお、ステップ１０３、ステップ１０１及びステップ１０２の実行は、順番がなく、ステップ１０３は、ステップ１０１の後、ステップ１０２の前に実行してもよく、ステップ１０２と同時に実行してもよく、ステップ１０２の後で実行してもよい。
【００５０】
ステップＳ１０４において、第１機器は、デジタル認証情報及び生物特徴情報を認証した認証結果を取得し、デジタル認証情報及び生物特徴情報を認証した認証結果が認証合格である場合に、第１機器が権限付与操作を実行する。具体的に、第１機器は、それ自体に予め記憶された情報に基づいて、デジタル認証情報及び生物特徴情報を認証しもよく、デジタル認証情報及び生物特徴情報をそれと接続するバックグラウンドに送信し、バックグラウンドによってデジタル認証情報及び生物特徴情報を認証してもよい。認証合格である結果が取得された場合に、第１機器が相応する権限付与操作を実行し、例えばログインウェブサイトを権限付与し、ゲートの開けを権限付与し、ある機器（自動車、ガン等）の開けを権限付与する。
【００５１】
本発明の具体的な実施形態において、第１機器がデジタル認証情報及び生物特徴情報を認証した認証結果を取得するステップは、以下の方式により完了するこてできるが、これらの方式に限定されない。
【００５２】
方式一において、第１機器は、デジタル認証情報及び生物特徴情報を認証し、認証結果を取得する。具体的に、第１機器は、デジタル認証及び生物特徴に係る秘密鍵及びその他の情報記憶が記憶されるとともに、デジタル認証情報及び生物特徴情報を認証する機能モジュールを備えてもよく、全ての認証過程を自動的に完了することで、権限付与の効率を向上でき、かつ第１機器が独立して権限付与を完了し、権限付与の安全性を確保することができる。例えば、当該第１機器がゲートカードのカードリーダ、金庫ロック等の機器である場合に、ゲートカードのカードリーダ、金庫ロック等が自動的に認証機能を完了し、有効な権限付与情報を持っているユーザが迅速、安全、便捷にこれらの機器をオンにする。
【００５３】
方式二において、第１機器は、バックグラウンドに生物特徴情報及びデジタル認証情報を送信する。第１機器がバックグラウンドによって送信された認証結果を受信し、認証結果は、バックグラウンドによってデジタル認証情報及び生物特徴情報を認証して取得された認証結果である。具体的に、第１機器は、生物特徴情報への採取及び第２機器との通信のみを完了し、認証の過程をバックグラウンドに任せてもよく、バックグラウンドがより早い演算速度を持ち、複雑な演算を迅速に完了することができる。また、採取部分及び認証部分を分離して設定する場合、システムの安全性を確保することができる。
【００５４】
本発明の権限付与認証方法によれば、腕時計等の電子機器のデジタル認証情報及び人体の生物特徴情報を検証することができ、検証されたデジタル認証情報及び生物特徴情報の関連性及び統一性を確保し、本発明の権限付与認証方法において、デジタル認証情報への検証及び人体生物特徴情報への検証は、一回の連続操作で完了し、二回に分けて行うと、検証が失敗になり、これにより、他人が腕時計等の電子機器でユーザになりすまして権限付与されることを避け、情報及び財産安全を確保することができる。また、本発明は、人体生体を伝送導体とし、不正者が他人の電子機器及び生物特徴情報に基づいて権限付与されることを効果的に防止することができる。また、本発明の権限付与認証方法に基づいて、ユーザの使用に必要な種々のデジタル認証秘密鍵情報をいずれも腕時計等の携帯電子機器に記憶することができ、電子機器は、デジタル認証情報を認証端に自動的に送信し、ユーザが生物特徴情報を採取するのみで、権限付与の操作を完了することができ、便利で、速くて、安全である。
【００５５】
本発明の一つの実施形態において、権限付与される情報は、標識情報をさらに含む。デジタル認証情報及び生物特徴情報への認証は、標識情報に基づいてデジタル認証情報及び生物特徴情報を認証することを含む。具体的に、第１機器は、第２機器によって送信された権限付与される情報が取得された場合に、当該権限付与される情報は、デジタル認証情報及び生物特徴情報を認証する重要な情報を取得することを指示するための標識情報をさらに含む。標識情報は、配列番号、名称、インデックス番号等の方式であってもよい。標識情報に基づいてデジタル認証情報及び生物特徴情報認証のための重要な情報を迅速に取得し、認証の速度及び効率を向上させることができる。
【００５６】
本発明の一つの実施形態において、標識情報に基づいてデジタル認証情報及び生物特徴情報を認証するステップは、標識情報に対応する認証因子及び生物特徴検証情報を取得して、認証因子でデジタル認証情報をデジタル認証し、かつ生物特徴検証情報と生物特徴情報とのマッチング率を検出するステップを含み、認証結果が認証合格であることは、認証因子でデジタル認証情報をデジタル認証して合格であり、且つ生物特徴情報と生物特徴検証情報とのマッチング率が予め設定された値よりも大きい場合に、認証結果が認証合格である。具体的に、標識情報に基づいてインデックスまたはデジタル認証情報に対応する認証因子及び生物特徴情報に対応する生物特徴検証情報を迅速に見つけ出し、例えば、デジタル認証情報が一つの電子署名情報である場合に、当該標識情報は、署名を検証するための対応する公開鍵を見つけ出すように指示し、当該公開鍵は、直接に記憶され、またはデジタル証明書に記憶され、当該標識情報は、当該公開鍵の番号またはデジタル証明書の番号を標識することで、検証対象機器は、データーベースから対応する公開鍵を迅速に見つけ出すことができる。取得された生物特徴情報が指紋情報である場合に、当該標識情報は、当該指紋情報の番号または当該指紋情報を持つユーザの番号であってもよく、これにより標識情報に基づいて、対応する認証因子及び生物特徴検証情報を迅速、正確に取得することができる。デジタル認証情報及び生物特徴情報を認証する過程において、先にデジタル認証情報を認証してもよく、先に生物特徴情報を認証してもよく、同時に認証してもよく、両方への認証結果のいずれも合格する場合のみに、認証結果が認証合格であると確定する。
【００５７】
目前において、生物特徴情報への検証方式は、主にマッチング率を設定し、採取された生物特徴情報と生物特徴検証情報とを比較して判断し、マッチング率が一定の値よりも大きい場合に、検証が合格であると判断する。従来の生体認証技術の限定により、高いマッチング率を設定する場合、結果のリアル性を確保できるが、高いマッチング率により、実ユーザをエラーユーザに誤判定したり、失敗であると認識して権限付与を拒絶することが多く、ユーザの操作が不便になる。例えば、従来技術中、生物特徴検証情報と受信された生物特徴情報とのマッチング率が特定の閾値よりも大きいと検出された（例えば、９９％、９０％等）場合に、生物特徴検証情報と受信された生物特徴情報が同一の生物特徴情報であると判断し、生物認証情報認証が合格であり、即ち、本実施例において、特定の閾値は、二つの生物特徴情報が同一の生物特徴情報であるマッチング率を示す。不正ユーザも認証に合格することを回避するために、従来技術中、通常、当該特定の閾値を高く設定し、この場合に、正当のユーザでも認識できなく、認証が失敗になる問題が生じやすい。本願は、正当のユーザが認証失敗する確率を低減するために、用いられる予め設定された値を従来技術における特定の閾値よりも小さくし、前記生物特徴検証情報と前記生物特徴情報とのマッチング率が予め設定された値よりも大きいと検出された（例えば、マッチング率が予め設定された値よりも大きいが、従来技術における特定の閾値よりも小さい）場合に、上述の前記デジタル認証因子で前記待認証情報をデジタル認証する結果を組み合わせて最終の認証結果を確定する。本発明に係る生物特徴情報及びデジタル認証情報の二重検証を用い、デジタル認証の強い認証作用により、生物特徴認証のマッチング率を一般な機器の生物特徴認証のマッチング率よりも低く設定し、これにより、実生物特徴を持っているユーザがエラーユーザと誤判断され、又は失敗であると認識する確率を低減する。
【００５８】
本発明の一つの実施形態において、認証因子でデジタル認証情報をデジタル認証し、かつ生物特徴検証情報と生物特徴情報とのマッチング率を検出するステップは、認証因子でデジタル認証情報を認証し、デジタル認証情報への認証が合格である場合に、生物特徴情報と生物特徴検証情報とのマッチング率が予め設定された値よりも大きいか否かを判断するステップ、又は、生物特徴情報と生物特徴検証情報とのマッチング率が予め設定された値よりも大きいか否かを判断し、生物特徴情報と生物特徴検証情報とのマッチング率が予め設定された値よりも大きいと判断する場合に、認証因子でデジタル認証情報を認証するステップを含む。具体的に、デジタル認証情報及び生物特徴情報を認証する過程において、先にデジタル認証情報を認証し、強い認証作用のデジタル認証確保により、正当の実ユーザが失敗したと認識される確率を低減し、且つ、デジタル認証が合格ではない場合に、生物特徴情報を検証する必要がなく、フローが簡単化する。先に生物認証情報を認証する場合に、生物特徴情報への検証により、なりすましを認識すことができ、これにより、次のデジタル認証フローをさらに行う必要がなく、フローが簡単化した。
【００５９】
本発明の具体的な実施形態において、デジタル認証情報への認証は、以下の一つ又は複数の方式を含むが、これらに限定されない。
【００６０】
方式一において、デジタル認証情報は、秘密鍵署名を用いて取得された電子署名情報を含み、認証因子は、電子署名情報を署名検証する公開鍵を含む。認証因子でデジタル認証情報を認証するステップは、公開鍵で電子署名情報を署名検証するステップを含む。具体的に、当該方式において、デジタル認証が電子署名認証であり、電子署名情報の生成方式は、秘密鍵で予め設定された値（例えば、乱数等）を署名し、署名値を取得し、署名値及び予め設定された値を電子署名情報とすることができる。電子署名認証に基づいて、当該デジタル認証がユーザの実権限付与を取得したことを確実することができ、且つユーザが実行した操作を翻したり、否認することを避ける機能を有する。
【００６１】
方式二において、デジタル認証情報は、対称鍵で算出して得られたＭＡＣ値を含み、認証因子は、ＭＡＣ値を算出する対称鍵を含む。認証因子でデジタル認証情報を認証するステップは、対称鍵でＭＡＣチェック値を算出し、ＭＡＣ値及びＭＡＣチェック値を検証するステップを含む。具体的に、当該方式において、デジタル認証は、対称鍵で情報を暗号化した後、検証方が対称鍵で情報を復号し、例えば共通アルゴリズム（例えばＭＡＣ算出）により対称鍵で予め設定された値を暗号化して暗号文値（例えばＭＡＣ値）を取得し、暗号文値及び予め設定された値を暗号文情報とし、当該方式により、データー伝送の安全性を確保し、通信の安全性を向上させ、さらに、両方が予め保持した対称鍵によりユーザの身分を検証することができる。
【００６２】
方式三において、デジタル認証情報は、シード鍵で生成された動的パスワードを含み、認証因子は、動的パスワードを検証するシード鍵を含む。認証因子でデジタル認証情報を認証するステップは、シード鍵で動的パスワードを検証するステップを含む。具体的に、当該方式において、動的パスワードで身分を検証し、時間または挑戦値に生成された動的パスワードに基づいて、当該動的パスワードによりユーザの実身分を検証し、権限付与の安全性を確保することができる。
【００６３】
本実施例は、図２に示すように、権限付与認証装置２０を更に提供する。当該権限付与認証装置２０は、権限付与認証方法に対応する装置であり、当該権限付与認証装置２０は、権限付与認証方法における第１機器に相当し、身分認識装置３０が権限付与認証方法における第２機器に相当する。ここで、当該権限付与認証装置２０の構造のみを簡単に説明し、説明していない他の部分は、権限付与認証方法への説明を参照する。当該権限付与認証装置２０は、
生物肢体が権限付与認証装置２０の予め設定された範囲に入った後、生物肢体に基づいて身分認識装置３０と通信接続を確立するために用いられる、接続ユニット２０１と、
通信接続により身分認識装置３０により伝送された権限付与される情報を受信する受信ユニット２０２であって、権限付与される情報は、デジタル認証情報を含むために用いられる、受信ユニット２０２と、
生物肢体が権限付与認証装置２０の予め設定された範囲に入った継続時間内に、生物肢体の生物特徴情報を採取するために用いられる、採取ユニット２０３と、
デジタル認証情報及び生物特徴情報を認証した認証結果を取得し、デジタル認証情報及び生物特徴情報を認証した認証結果が認証合格である場合に、権限付与操作を実行するために用いられる、実行ユニット２０４と、を含む。
【００６４】
本発明の一つの実施形態において、生物特徴情報は、指紋情報及び／又は静脈情報を含む。
採取ユニット２０３は、生物肢体が権限付与認証装置２０に接触された場合に、生物肢体と権限付与認証装置２０との接触部位の生物特徴情報を採取する。
【００６５】
本発明の一つの実施形態において、実行ユニット２０４がデジタル認証情報及び生物特徴情報を認証した認証結果を取得するステップは、以下の二つの方式により完了できるが、これらの方式に限定されない。
【００６６】
方式一において、実行ユニット２０４は、具体的に、デジタル認証情報及び生物特徴情報を認証し、認証結果を取得するために用いられる。
【００６７】
方式二において、実行ユニット２０４は、具体的に、バックグラウンド４０へ生物特徴情報及びデジタル認証情報を送信し、バックグラウンドによって送信された認証結果を受信するために用いら、認証結果は、バックグラウンド４０によりデジタル認証情報及び生物特徴情報を認証して取得された認証結果である。
【００６８】
本発明の一つの実施形態において、権限付与される情報は、標識情報をさらに含む。デジタル認証情報及び生物特徴情報への認証は、標識情報に基づいてデジタル認証情報及び生物特徴情報を認証することを含む。
【００６９】
本発明の一つの実施形態において、標識情報に基づいてデジタル認証情報及び生物特徴情報を認証するステップは、標識情報に対応する認証因子及び生物特徴検証情報を取得して、認証因子でデジタル認証情報をデジタル認証し、かつ生物特徴検証情報と生物特徴情報とのマッチング率を検出するステップを含み、認証結果が認証合格であることは、認証因子でデジタル認証情報をデジタル認証して合格であり、且つ生物特徴情報と生物特徴検証情報とのマッチング率が予め設定された値よりも大きい場合に、認証結果が認証合格である。
【００７０】
目前において、生物特徴情報への検証方式は、主にマッチング率を設定し、採取された生物特徴情報と生物特徴検証情報とを比較して判断し、マッチング率が一定の値よりも大きい場合に、検証が合格であると判断する。従来の生体認証技術の限定により、高いマッチング率を設定する場合、結果のリアル性を確保できるが、高いマッチング率では、実ユーザをエラーユーザに誤判定したり、失敗であると認識して権限付与を拒絶することが多く、ユーザの操作が不便になる。例えば、従来技術中、生物特徴検証情報と受信された生物特徴情報とのマッチング率が特定の閾値よりも大きいと検出された（例えば、９９％、９０％等）場合に、生物特徴検証情報と受信された生物特徴情報が同一の生物特徴情報であると判断し、生物認証情報認証が合格である。即ち、本実施例において、特定の閾値は、二つの生物特徴情報が同一の生物特徴情報であるマッチング率を示す。不正ユーザも認証に合格することを回避するために、従来技術中、通常、当該特定の閾値を高く設定し、この場合に、正当のユーザでも認識できなく、認証が失敗になる問題が生じやすい。本願は、正当のユーザが認証失敗する確率を低減するために、用いられる予め設定された値を従来技術における特定の閾値よりも小さくし、前記生物特徴検証情報と前記生物特徴情報とのマッチング率が予め設定された値よりも大きいと検出された（例えば、マッチング率が予め設定された値よりも大きいが、従来技術における特定の閾値よりも小さい）場合に、上述の前記デジタル認証因子で前記待認証情報をデジタル認証する結果を組み合わせて最終の認証結果を確定する。本発明に係る生物特徴情報及びデジタル認証情報の二重検証を用い、デジタル認証の強い認証作用により、生物特徴認証のマッチング率を一般な機器の生物特徴認証のマッチング率よりも低く設定し、これにより、実生物特徴を持っているユーザがエラーユーザと誤判断され、又は失敗であると認識する確率を低減する。
【００７１】
本発明の一つの実施形態において、認証因子でデジタル認証情報をデジタル認証し、かつ生物特徴検証情報と生物特徴情報とのマッチング率を検出するステップは、
認証因子でデジタル認証情報を認証し、デジタル認証情報への認証が合格である場合に、生物特徴情報と生物特徴検証情報とのマッチング率が予め設定された値よりも大きいか否かを判断するステップ、又は、
生物特徴情報と生物特徴検証情報とのマッチング率が予め設定された値よりも大きいか否かを判断し、生物特徴情報と生物特徴検証情報とのマッチング率が予め設定された値よりも大きいと判断する場合に、認証因子でデジタル認証情報を認証するステップと、を含む。
【００７２】
本発明の一つの実施形態において、デジタル認証情報を認証するステップは、以下の方式で完了できるが、これらの方式に限定されない。  
【００７３】
方式一において、デジタル認証情報は、秘密鍵署名を用いて取得された電子署名情報を含み、認証因子は、電子署名情報を署名検証する公開鍵を含む。認証因子でデジタル認証情報を認証するステップは、公開鍵で電子署名情報を署名検証するステップを含む。及び／又は
方式二において、デジタル認証情報は、対称鍵で算出して得られたＭＡＣ値を含み、認証因子は、ＭＡＣ値を算出する対称鍵を含む。認証因子でデジタル認証情報を認証するステップは、対称鍵でＭＡＣチェック値を算出し、ＭＡＣ値及びＭＡＣチェック値を検証するステップを含む。及び／又は
方式三において、デジタル認証情報は、シード鍵で生成された動的パスワードを含み、認証因子は、動的パスワードを検証するシード鍵を含む。認証因子でデジタル認証情報を認証するステップは、シード鍵で動的パスワードを検証するステップを含む。
【００７４】
本実施例は、権限付与認証システムをさらに提供し、図３に示すように、当該権限付与認証システムは、前述した身分認識装置３０及び前述した権限付与認証装置２０を含む。
身分認識装置３０は、通信接続により権限付与認証装置２０へ権限付与される情報を送信するために用いられる。
【００７５】
本発明の一つの実施形態において、権限付与認証システムは、バックグラウンド４０をさらに提供し、バックグラウンド４０は、権限付与認証装置２０により送信された生物特徴情報及びデジタル認証情報を受信し、デジタル認証情報及び生物特徴情報を認証し、認証結果を取得して、認証結果を権限付与認証装置２０に送信するために用いられる。
【００７６】
本発明に係る実施例は、コンピュータプログラムをさらに提供し、それがプロセッサで動作される時、上述の権限付与認証方法を実行する。
【００７７】
ここで提供される明細書において、詳細に説明しておるが、本発明に係る実施例は、これらのように詳細に説明しなくて実施することができる。いくつかの例において、本発明への理解を明確するために、公知の方法、構造及び技術を詳しく説明していないことを理解すべきである。
【００７８】
同様に、本開示を簡単化して、各発明の形態の一つ又は複数の理解を促すため、上記の本発明に係る示例的実施例への説明において、本発明の各特徴は、一緒に単一の実施例、図、またはその説明に記載することを理解すべきである。しかしながら、当該開示した方法を以下の意図を反映するように説明すべきでなく、保護を請求する本発明は、各請求項に明確に記載する特徴よりも多い特徴を有する。より具体的に、以下の特許請求の範囲に示すように、発明の形態は、上記開示した独立の実施例における全ての特徴よりも少ない。従って、具体的な実施形態に従う特許請求の範囲は、当該具体的な実施形態に明確に組み入れ、各請求項自身は、全て本発明の独立の実施例とする。
【００７９】
当業者は、実施例において、機器におけるモジュールを適応的に変化して、当該実施例と異なる一つ又は複数の機器に設けることが理解すべきである。実施例におけるモジュール、ユニット、又は部品を一つのモジュール、ユニット又は部品に組み合わせてもよく、または、これらを複数のサブモジュール、サブユニット又は子部品に分けてもよい。このような特徴及び／又は過程またはユニットの少なくともいくつかが相反である以外、任意の組み合わせで本明細書に開示した全ての特徴、及びこのように開示された任意の方法、または機器の所有過程、又はユニットを組み合わせてもよい。特に説明しない限り、本明細書に開示した各特徴は、同一、同等、又は類似の目的を提供する代替特徴に替ても良い。
【００８０】
本発明の各部材実施例は、ハードウェアに基づいて実現し、または一つまたは複数のプロセッサに動作されるソフトウェアモジュールにより実現し、またはそれらの組み合わせにより実現してもよい。
【００８１】
こうして、本発明が既に本発明に係る示例的実施例を示して説明したが、本発明の要旨及び範囲を逸脱しない限り、本発明に開示した内容により、本発明の原理に合わせる複数の他の変形又は修正を直接に確定、導出できることは、当業者が意図される。従って、本発明の範囲は、これらの変形又は修正をすべて含むことを理解すべきである。
【図１】
2019512786.tif 000003
【図２】
2019512786.tif 000004
【図３】
2019512786.tif 000005
【国際調査報告】
2019512786.tif 000006
2019512786.tif 000007
2019512786.tif 000008
2019512786.tif 000009
2019512786.tif 000010
2019512786.tif 000011